(57)【特許請求の範囲】
【請求項１】
冷蔵庫本体内に、冷凍室と、該冷凍室の上方に配置された冷蔵室と、該冷蔵室と該冷凍室との間に配置された貯蔵室とを有し、該冷蔵庫本体内の各室を冷却するための冷凍サイクルを構成する圧縮機を備えた冷蔵庫において、
該貯蔵室の該冷蔵庫本体前面側に配置されて前後方向に移動可能とし、該貯蔵室を開閉する引出扉と、
該冷凍室と該貯蔵室との後方に跨って配置され、冷却器と該冷却器の上方でかつ該冷凍室の上面よりも上方に位置する送風機とが設けられた空間と、
該貯蔵室と該冷凍室との間を仕切る第１の仕切部材と、該第１の仕切部材の後方に配置され後方に立上り部を有して該空間と該貯蔵室との間を仕切る第２の仕切部材とからなり、該貯蔵室と該冷凍室との間を熱的に区画する仕切壁と
を備え、
該圧縮機は、該冷凍室の後方に配置されて該冷凍室の後方部を上底とし、該第２の仕切部材の該立上り部の後方に該送風機が配置され、
かつ、該立上り部を含む該第２の仕切部材が、該冷蔵庫本体内に着脱自在に装着されたことを特徴とする冷蔵庫。
【請求項２】
前記第１の仕切部材は前記冷蔵庫本体の前面側に配置され、前記第２の仕切部材は前記第１の仕切部材と係合することを特徴とする請求項１記載の冷蔵庫。
【発明の詳細な説明】
【０００１】
【発明の属する技術分野】
本発明は、多扉化に対応して、冷蔵庫の庫内(冷凍室を含む)を数室に仕切った時の冷蔵庫に関するもので、特に、細かく仕切られた時に、庫内側より組込まれる冷却器等の組付けを容易にした冷蔵庫に関するものである。
【０００２】
【従来の技術】
最近市販されている冷蔵庫は、冷凍食品を貯蔵する冷凍室、冷蔵食品を貯蔵する冷蔵室、野菜やくだものを貯蔵する野菜室、それに、チルド食品を貯蔵するチルド室といった具合に冷蔵庫を細かく区画し、且つそれぞれに専用の仕切壁及び扉を備えている。
【０００３】
一方、冷蔵庫の製造工程から見ると、例えば、庫内を冷却する冷却器及びその冷却器で冷却された冷気を各部屋に送る冷気循環用ファンモータ等は、依然として前面の庫内側より冷凍室背壁近くに配設されている。
【０００４】
ところが、最近になって、従来冷蔵室の上方に位置していた冷凍室を冷蔵室の下方に設置する所謂、ボトムフリーザータイプの冷蔵室が市販されるようになってきた。
【０００５】
尚、多扉化した冷蔵庫の例としては、特開昭６０−１１１８６７号公報等が挙げられる。
【０００６】
【発明が解決しようとする課題】
上記した如き冷凍室が冷蔵室の下方に位置した冷蔵庫であっては、次のような課題があった。
【０００７】
(1) 冷凍室の背部に庫内側より組み付ける冷却器及び冷気循環用ファンモータの組み付け作業が非常に困難となる。
【０００８】
(2) 冷却器の上方に冷気循環用ファンモータを設置するタイプの冷蔵庫にあっては、上記冷気循環用ファンモータを取付ける位置が冷凍室上面を形成する仕切壁より上方に位置してしまう。
【０００９】
(3) 冷凍室の後方背面部に冷却器を立てて収納し、その上方に冷気循環用ファンを設置しようとしても、圧縮機で冷凍室の底面が前方に比較して持ち上がっている為、冷凍室の後方部にその寸法が確保できない。
【００１０】
【課題を解決するための手段】
本発明は、上記課題を解決すべくなされたものである。
【００１１】
即ち、上記目的は、冷蔵庫本体内に、冷凍室と、該冷凍室の上方に配置された冷蔵室と、該冷蔵室と該冷凍室との間に配置された貯蔵室とを有し、該冷蔵庫本体内の各室を冷却するための冷凍サイクルを構成する圧縮機を備えた冷蔵庫において、該貯蔵室の該冷蔵庫本体前面側に配置されて前後方向に移動可能とし、該貯蔵室を開閉する引出扉と、該冷凍室と該貯蔵室との後方に跨って配置され、冷却器と該冷却器の上方でかつ該冷凍室の上面よりも上方に位置する送風機とが設けられた空間と、該貯蔵室と該冷凍室との間を仕切る第１の仕切部材と、該第１の仕切部材の後方に配置され後方に立上り部を有して該空間と該貯蔵室との間を仕切る第２の仕切部材とからなり、該貯蔵室と該冷凍室との間を熱的に区画する仕切壁とを備え、該圧縮機は、該冷凍室の後方に配置されて該冷凍室の後方部を上底とし、該第２の仕切部材の該立上り部の後方に該送風機が配置され、かつ、該立上り部を含む該第２の仕切部材が、該冷蔵庫本体内に着脱自在に装着された構成により達成される。
【００１３】
また、前記第１の仕切部材は前記冷蔵庫本体の前面側に配置され、前記第２の仕切部材は前記第１の仕切部材と係合する構成によっても達成される。
【００１５】
【発明の実施の形態】
以下、本発明の詳細を図に示す一実施形態で説明する。
【００１６】
図１は本発明を備えた冷蔵庫の縦断面図、図２は本発明を備えた仕切壁の組込み状態を説明する図、図３は図２のＡ−Ａ断面図、図４は図２のＢ−Ｂ断面図、図５は図１の冷却室の正面図、図６は図１とは異なる第２の仕切壁の斜視図である。
【００１７】
先ず、図１に於いて、１は冷蔵庫本体である。この冷蔵庫本体１は、外箱２と内箱３との間に発泡断熱材４を充填した箱体５と、圧縮機６や凝縮機７，冷却器８等より成る冷凍サイクルと、上記箱体５が形成する冷凍室９，野菜室１０，それに、冷蔵室１１等の前面開口部を閉塞する扉１２，１３，１４，１５等より構成されている。
【００１８】
尚、上記扉１２，１３，１４は、冷凍室９ａ，９ｂを形成する引出し容器１６，１７及び野菜室１０を形成する引出し容器１８を枠３３（破線で図示）をもって扉側に有している。換言すると、扉１２，１３，１４は引出し式の扉であり扉の引き出しに合わせて、該引出し容器１６，１７，１８が引き出されてくるものである。
【００１９】
又、本冷蔵庫は、冷凍室９が最下段であり、中央が野菜室１０、そして、その上が冷蔵室１１となるように構成されている点も特徴としているものである。
【００２０】
しかして、上記冷蔵庫本体１は、圧縮機６の収納の為に、冷凍室９の後方部を前方部に比較して上底としている。これに伴い、先の冷凍室９ａの引出し容器１６はこの部分を避けた形状に作られている。
【００２１】
１９は冷凍室９の背面後方部に形成された冷却器室である。この冷却器室１９内に先の冷却器８は立てて収納されている。
【００２２】
２０は上記冷却器８の上方に設置された冷気循環用ファン、２１はファンモータである。これら冷却器８や冷気循環用ファン２０は、図１にも示す如く、冷蔵庫本体１の背面部に位置する。
【００２３】
従って、圧縮機６により冷凍室９の下面が上底になっているものにあっては、冷凍室９の上面（仕切壁２２の下面）より冷気循環用ファン２０の位置の方が上方に位置してしまう。
【００２４】
２２は上記した如く仕切壁である。この仕切壁２２は、冷凍室９と野菜室１０との間を熱的に区画する。又、この仕切壁２２は、後方に立上り部２２ａを有している。この立上り量は、冷気循環用ファン２０の上部に至る高さとする。
【００２５】
更に、この仕切壁２２は、先にも記述した如く、冷凍室９の上面を形成する。換言すると、仕切壁２２は、扉１３，１４のガスケット（図示せず）の受面も形成しているものである。従って、この仕切壁２２の前端部には、仕切板２３の表面を加熱し露が付かないようにする為の高温パイプ２４（冷凍サイクルの凝縮器部のパイプを意味する）を有している。この仕切板２３を基準にして、先の立上り部２２ａは上方に立ち上がっているものである。
【００２６】
２５は冷却器室１９と冷凍室９とを仕切る役目も果たすファンガードであって、冷却器８で冷却された冷気は、冷気循環用ファン２０の働きにより、冷凍室９に上記ファンガード２５を経由して吹き出されるものである。
【００２７】
２６は製氷皿である。この製氷皿２６は、先の仕切壁２２の下面近くに設けられている。２７は上記製氷皿２６に冷気を送る冷気ダクトであって、先の仕切壁２２の下面に図に示す如く取り付けられ、仕切壁２２下面と冷気ダクト２７との間を冷気通路としている。
【００２８】
又、上記仕切壁２２は、立上り部２２ａを有する側（第２の仕切壁２２ｃ）と仕切板２３を有する側（第１の仕切壁２２ｂ）とに分割されているものである。そして、第１の仕切壁２２ｂは、発泡断熱材４の発泡前に冷蔵庫の箱体５に組み付けられる。これは、先の高温パイプ２４を仕切板２３の裏面に取付ける為である。即ち、高温パイプ２４は冷蔵庫の箱体５の開口前面の大半に配設されるもので、先の高温パイプ２４はその一部である。
【００２９】
従って、上記第１の仕切壁２２ｂは、上記高温パイプ２４を取り付けることが出来る梁状仕切壁であっても良いことは言うまでもない。
【００３０】
又、第２の仕切壁２２ｃは、発泡後に箱体５に組み付けられるものである。即ち、図にも示す如く、冷凍室９の間口が第３の仕切壁２８によって２分割されているような冷蔵庫にあっては、先に説明した冷却器８及び冷気循環用ファン２０及びファンモータ２１を、断熱材４の発泡後、仕切壁２２と第３の仕切壁２８との間（３０ｃｍ以内）を通して組み付けることは不可能に近いことは容易に推察できる所である。即ち、上記冷却器８及び冷気循環用ファン２０を箱体５（冷蔵庫本体１）に組み込む人の目の位置は、図に示すような位置となる。そこで、この作業を助ける為に、立上り部２２ａを有する第２の仕切壁２２ｃは、発泡後の冷却器８の組み付け終了時に冷蔵庫本体１に組み付けるようにしているものである。
【００３１】
換言すると、この第２の仕切壁２２ｃの大きさは、冷却器８を冷却器室１９に組み付ける際の出し入れが出来る大きさであり、且つ冷却器８等の組み付け作業が出来る大きさとしておくものである。
【００３２】
２９は突出壁である。この突出壁２９と先に説明した仕切壁２２（立上り部２２ａ）とで、冷却器室１９の上部を形成する。又、この突出壁２９内には、成形断熱材（スチロフォーム）３０が発泡断熱材４の充填前に配設され、該発泡断熱材４により、接着固定されている。
【００３３】
３１は上記成形断熱材３０及び突出壁２９を貫通して形成された冷気通路を示す。先に説明した仕切壁２２の一辺は、この突出壁２９に図に示す如き構造で取り付けられている。
【００３４】
３２はダンパー組品を示す。このダンパー組品３２は、後述する電動ダンパーと冷気通路とを有する断熱材等により構成されている。
【００３５】
而して、上記ダンパー組品３２は突出壁２９に乗せるように組み付けられ、丁度先のダンパー組み品３２側の断熱材に形成された冷気通路が成形断熱材３０に形成された冷気通路３１に連通している。
【００３６】
従って、冷却室１９内よりの冷却器８を経た冷気は、突出壁３０を経由してダンパー組品３２に至り、必要な量の冷気量だけが、該ダンパーの働きにより、冷蔵室１１等に供給させるものである。
【００３７】
１８は野菜室用の引出し容器。この野菜室用の引出し容器１８は、図に示す如く、先の突出壁２９及び仕切壁２２の立上り部２２ａが野菜室１０側に出張る分、切り欠かれた形状に作られている。
【００３８】
尚、野菜室用の引出し容器１８の如く、冷蔵庫に設けられる引出し容器は、特殊（ダブルレール）なものを除いて、通常、冷蔵庫開口面（仕切板２３面）より全体が飛び出すことなく、容器１８の２／３位しか引出せない。これは、引出し容器１８を引き出す枠３３やレールの構造に起因するものである。従って、該引出し容器１８は、先の突出壁２９と立上り部２２ａとに当接する迄の奥行きとする必要がないものである。
【００３９】
換言すると、上記引出し容器１８の後方部は無効空間になっているのが現状の冷蔵庫である。これを本願は、この無効空間を利用すべく先のダンパー組品３２を設置したものである。
【００４０】
４１はダンパー組品３２から出た冷気を冷蔵室１１に供給する冷蔵室用ダクトである。このダクト４１より、冷気は、図に示す如く、冷蔵室１１に吹き出されて行くものである。
【００４１】
次に、図２，図３及び図４を用いて、仕切壁２２の構造及び取付構造について説明すると、上記仕切壁２２は、先にも説明した如く、第１の仕切壁２２ｂと第２の仕切壁２２ｃに分割されているもので、その接続部は図２、図４の如く構成され、継目より水や冷気等が洩れない工夫が施されている。
【００４２】
又、第２の仕切壁２２ｃと内箱３との接続は、図３の如く構成されている。尚、第１の仕切壁２２ｂは、図には示してないが、内箱３に形成したガイド溝に前面よりスライドして組み込むという、従来から採用されている方式で取付けられているものである。
【００４３】
３４は上記第２の仕切壁２２ｃとの両側端に設けられたネジ締め用ガイド穴であり、３５は内箱３の側壁に形成された仕切壁取付用の段差である。この段差３５を利用して、先の第２の仕切壁２２ｃとはネジ３６でネジ止めされるものである。
【００４４】
即ち、上記第２の仕切壁２２ｃの背部は、図１の如く突出壁に取り付けられ、両側は段差３５に、そして、前部は第１の仕切壁２２ｂに、図４の如く、組み付けられるものである。
【００４５】
図からも明らかな如く、第２の仕切壁２２ｃは、冷却器室１９への冷却器８及び冷気循環用ファン２０の組み込みが完了した時点で、上から蓋をするような格好で、取り付けられるものである。勿論、第２の仕切壁２２ｃと接する段部３５や突出壁２９、それに、第１の仕切壁２２ｂとの当接部には、冷気及び水洩れを防止する為のシール材が施されていることは当然である。このシール材の取付けを容易にする手段として、図６の如く、第２の仕切壁２２ｃを容器状となし、その端面にフランジ３７を設け、このフランジ３７の裏面にシール材（例えば、軟質ウレタンフォーム等）を貼り付けるようにすることが考えられる。
【００４６】
勿論、この時には、受面となる内箱３や突出壁２９，第１の仕切壁２２ｂ側も対応させておく必要があることは言うまでもない。
【００４７】
次に、図５を用いて、突出壁２９の上面に取り付けられるダンパー組品３２及びこのダンパー組品３２の下部に形成されている冷却器室１９との関係を説明する。
【００４８】
図に於いて、３２はダンパー組品であり、このダンパー組品３２は、電動ダンパー３８とこのダンパー３８を包む断熱材３９、それに、ケース４０等より構成されている。
【００４９】
しかして、上記断熱材３９には、突出壁２９に設けた冷気通路３１で受け取った冷気を電動ダンパー３８部に導き、且つその電動ダンパー３８を経た冷気を冷蔵室用ダクト４１迄矢印の如く導く冷気通路４２、及び冷蔵室１１の戻り冷気を冷却器８に導く戻しダクト４５に連接する冷気通路４３を有している。
【００５０】
４７は電気品ボックス（例えば基板等を収納）であって、先のケース４０内に組み込まれている。
【００５１】
次に、冷却器８で冷却された冷気と先のダンパー組品３２との関係について説明する。図５に於いて、冷気循環用ファン２０により強制循環される冷気のうち、冷凍室９に吹き出される冷気は、吐出口４８、４９よりファンガード２５（図１）を経て冷凍室９に吹き出され、ファンガード２５の下部より冷却器８に戻るものである。
【００５２】
一方、冷蔵室１１側に吹き出される冷気は、突出壁２９に形成された冷気通路３１を経てダンパー組品３２側の冷気通路４２に入り、電動ダンパー３８でコントロールされた冷気量が冷蔵室用ダクト４１より冷蔵室１１に、図１に示す如く、吹き出されて行くものである。
【００５３】
又、冷蔵室１１を冷却した後の冷気は、ダンパー組品３２に設けられた冷気通路４３を経て、突出壁２９に連続するよう庫内側に突出して形成された第２の突出壁４４中に設けた戻しダクト４５を通して、冷却器８の下部に戻されるものである。この時、野菜室１０は、冷蔵室１１を冷却した冷気の一部、又は全部を回すことにより、冷却されるものである。
【００５４】
そして、野菜室１０を冷却した後の冷気は、先の戻しダクト４５の途中に設けた野菜室冷気戻り口４６より、冷却器８側に戻されるものである。
【００５５】
【発明の効果】
以上説明したように、本発明によれば、冷蔵庫の生産性が向上する。
【図面の簡単な説明】
【図１】本発明を備えた冷蔵庫の縦断面図。
【図２】本発明を備えた仕切壁の組み込み状態を説明する図。
【図３】図２のＡ−Ａ断面図。
【図４】図２のＢ−Ｂ断面図。
【図５】図１の冷却室正面図。
【図６】図１とは異なる第２の仕切壁の斜視図。
【符号の説明】
１  冷蔵庫本体
２  外箱
３  内箱
４  発泡断熱材
５  箱体
６  圧縮機
７  凝縮器
８  冷却器
９，９ａ，９ｂ  冷凍室
１０  野菜室
１１  冷蔵室
１２  冷凍室扉
１３  冷凍室扉
１４  野菜室扉
１５  冷蔵室扉
１６  引出し容器（冷凍室９ａ用）
１７  引出し容器（冷凍室９ｂ用）
１８  引出し容器（野菜室用）
１９  冷却器室
２０  冷気循環用ファン
２１  ファンモータ
２２  仕切壁
２２ａ  立上り部
２２ｂ  第１の仕切壁
２２ｃ  第２の仕切壁
２３  仕切板
２４  高温パイプ
２５  ファンガード
２６  製氷皿
２７  冷気ダクト
２８  第３の仕切壁
２９  突出壁
２９ａ  凹溝
３０  成形断熱材
３１  冷気通路
３２  ダンパー組品
３３  枠
３４  ネジ締め用ガイド穴
３５  仕切壁取付用の段差
３６  ネジ
３７  フランジ
３８  電動ダンパー
３９  断熱材
４０  ケース
４０ａ  取付脚
４０ｂ  ネジ取付用凹部
４１  冷蔵室用ダクト
４２  冷気通路（吐出用）
４３  冷気通路（戻り用）
４４  第２の突出壁
４５  戻しダクト
４６  野菜室冷気戻り口
４７  電気品ボックス
４８  吐出口
４９  吐出口
【図１】
0003713464.tif 000002
【図２】
0003713464.tif 000003
【図３】
0003713464.tif 000004
【図４】
0003713464.tif 000005
【図５】
0003713464.tif 000006
【図６】
0003713464.tif 000007